(57)【要約】  エアディスプレースメントピペット（１０）は錠止チャンバを包囲する上部部分を具備する管状ピペット先端部（２６）、及び上部部分から到達し、かつ減じられた直径端部まで下向きにテーパが付された本体部分を具備する。ピペット上の管状装着軸は、ピペット先端部（２６）の錠止チャンバ内に軸線方向挿入するように形状構成され且つ寸法づけられた遠位端を具備する。装着シャフトの遠位端上の協働表面とピペット先端部の上部セクションは、装着シャフトの遠位端の錠止チャンバ内に挿入することに応じて、ピペット先端部と装着シャフトとの間に軸線方向に相互係合する関係を確立する。スリーブ（４４）は軸線方向に相互係合関係を確立する後退位置と、軸線方向に相互係合関係を破壊して、これにより、ピペット先端部（２６）シャフトの軸線方向排出部を収容する前進位置と、の間で軸線方向に移動可能である。
2007521956.tif 000002
【特許請求の範囲】
【請求項１】
エアディスプレースメントピペットであって、
錠止チャンバ、及び前記上部部分から通じ、かつ直径が減じられた端部まで下向きにテーパが付けられた本体部分を包囲する上部部分を具備する管状ピペット先端部と、
前記ピペット上の管状装着シャフトであって、前記装着シャフトは前記錠止部材内への軸線方向挿入のために形状構成且つ寸法づけられた、前記管状装着シャフトと、
前記装着シャフトの遠位端を前記錠止チャンバ内に挿入することに応じて、前記ピペット先端部と前記装着シャフトとの間の軸線方向の相互係合関係を確立する、前記装着シャフトの遠位端及び前記上部部分上の協働面と、
前記軸線方向に相互係合した関係の確立に適合する後退位置と、前記ピペット装着シャフトから前記ピペット先端部の軸線方向排出に適合するようにこの関係を壊す前進位置との間で、軸線方向に移動可能なスリーブと、を備えるエアディスプレースメントピペット。
【請求項２】
前記スリーブを前記後退位置に付勢する第１軸線方向力を働かせる第１ばね手段と、
前記スリーブを前記後退位置から前記前進位置まで移動させる前記第１軸線方向力を打ち負かす手動詞憂さ可能な機構と、を更に備える請求項１に記載のエアディスプレースメントピペット。
【請求項３】
後退位置と前進位置との間で前記スリーブを軸線方向に移動可能なカラーと、前記カラーを自身の前進位置内へと付勢する第２軸線方向力を働かせる第２ばね手段と、を更に備え、
前記カラーは前記装着シャフトの遠位端を前記錠止チャンバ内に挿入する間中に前記ピペット先端部の上部部分によって係合可能であり、かつ前記ピペット先端部と前記装着シャフトとの間に軸線方向に相互係合する関係を確立する間中に、自身の前進位置から自身の後退位置まで前記第２軸線方向力に対して移動され、
前記カラーの自身の前進位置から自身の後退位置までの移動が前記第２力を高レベルまで増加させることに付随し、
これにより、前記相互係合された関係の破壊に基づいて、前記高レベルでの前記第２力が作動して、前記カラーを自身の前進位置に戻すことによって前記装着シャフトを強制的に排出する、請求項１または請求項２に記載のエアディスプレースメントピペット。
【請求項４】
前記協働面は前記ピペット先端部の前記上部部分に少なくとも１つの弾発性フィンガを備え、
前記フィンガは、前記錠止チャンバ内に突出し、かつ内向きにスナップ嵌合して前記装着シャフトの遠位端の外側肩部と前記相互係合する関係になるように形状構成され且つ配置される、請求項１に記載のエアディスプレースメントピペット。
【請求項５】
前記フィンガを半径方向に膨張させることによって、前記スリーブは前記相互係合された関係を壊すように形状構成される、請求項４に記載のエアディスプレースメントピペット。
【請求項６】
前記ピペット先端部には、前記装着シャフトの遠位端が前記錠止チャンバ内への軸線方向挿入の範囲を制限する前記外側肩部と協働するストッパ面が設けられる、請求項４に記載のエアディスプレースメントピペット。
【請求項７】
前記装着シャフトの遠位端によって担持される弾発性Ｏリングを更に備え、
前記Ｏリングは前記上部部分の内部と密封係合する際に協働するように位置づけられる、請求項１に記載のエアディスプレースメントピペット。
【請求項８】
前記上部部分は、
前記錠止チャンバを包囲する上部壁部分と、
密封チャンバを包囲する下部壁部分と、を含み、
前記Ｏリングは前記下部壁部分と密封係合する際に協働するように位置づけられる、請求項７に記載のエアディスプレースメントピペット。
【請求項９】
前記下部壁部分は、前記錠止チャンバから、前記本体部分に通じる円筒状部分まで内向き且つ下向きにテーパが付けられた入口部分を含み、
前記Ｏリングは前記円筒状部分と密封係合する際に協働するように位置づけられる、請求項８に記載のエアディスプレースメントピペット。
【請求項１０】
管状ピペット先端部であって、
錠止チャンバを包囲する上部部分と、
前記上部部分から通じ、かつ直径が減じられた端部まで下向きにテーパがつけられた本体部分と、
前記上部部分と一体に成形され、かつ前記錠止チャンバ内に下向きに突出する少なくとも１つの弾発性フィンガと、を備える管状ピペット先端部。
【請求項１１】
前記フィンガは前記上部部分の上部リムから下向き且つ内向きに突出する、請求項１０に記載のピペット先端部。
【請求項１２】
複数の弾発性フィンガが前記上部部分と一体に成形される、請求項１０に記載のピペット先端部。
【請求項１３】
前記上部部分及び前記本体部分は単一のユニットとして一体モールド成形される、請求項１０から請求項１２までのいずれか１項に記載のピペット先端部。
【請求項１４】
前記上部部分及び前記本体部分は分離ユニットとしてモールド成形され、前記上部部分はインサートとして前記本体部分内に組み立てられる、請求項１０から請求項１２までのいずれか１項に記載のピペット先端部。
【請求項１５】
前記上部部分は前記錠止チャンバを包囲する上部壁部分、及び密封チャンバを包囲する下部壁部分を含む、請求項１０に記載のピペット先端部。
【請求項１６】
前記下部壁部分は、前記本体部分に通じる円筒状部分まで内向き且つ下向きにテーパが付けられた入口部分を含む、請求項１５に記載のピペット先端部。
【請求項１７】
前記上部部分は、前記錠止チャンバと前記密封チャンバとの間にストッパ面を含む、請求項１５に記載のピペット先端部。
【請求項１８】
前記ストッパ面は、前記上部及び下部壁部分の結合部に円形レッジを備える、請求項１７に記載のピペット先端部。
【請求項１９】
前記下部壁部分には、外周方向に所定の間隔を置いて配置さた鉛直なリブが設けられる、請求項１５に記載のピペット先端部。
【請求項２０】
前記下部壁部分には、前記円形レッジから前記本体部分まで延在する円周方向に所定の間隔を置いて配置されたリブが設けられる、請求項１８に記載のピペット先端部。
【請求項２１】
少なくとも１つの前記フィンガは前記錠止チャンバの底部から上向き且つ内向きに突出する、請求項１０に記載のピペット先端部。
【請求項２２】
前記上部部分は、前記錠止チャンバの底部に内部シェルフを含む、請求項１０または請求項２１に記載のピペット先端部。
【請求項２３】
前記貫通穴は前記錠止チャンバ内に下向きに突出する請求項２２に記載のピペット先端部。
【請求項２４】
前記上部部分には、前記錠止チャンバを境界づける内部面取面が設けられる、請求項１０に記載のピペット先端部。
【請求項２５】
エアディスプレースメントピペットであって、
錠止チャンバ、及び前記上部部分から通じ、かつ直径が減じられた端部まで下向きにテーパが付けられた本体部分を包囲する上部部分を具備する管状ピペット先端部と、
前記ピペット上の管状装着シャフトであって、前記装着シャフトは前記錠止部材内への軸線方向挿入のために形状構成且つ寸法づけられた、前記管状装着シャフトと、
前記装着シャフトの遠位端を前記錠止チャンバ内に挿入することに応じて、前記ピペット先端部と前記装着シャフトとの間の軸線方向の相互係合関係を確立する、前記装着シャフトの遠位端及び前記上部部分上の協働面と、
前記協働面は前記ピペット先端部の前記上部クラウン部分に複数の円周方向に所定の間隔を置いて配置された弾発性フィンガと、を備え、
前記フィンガは、前記錠止チャンバ内に突出し、かつ内向きにスナップ嵌合して前記装着シャフトの遠位端の外側肩部と前記相互係合する関係になるように形状構成され且つ配置され、
前記軸線方向に相互係合した関係の確立に適合する後退位置と、前記ピペット装着シャフトから前記ピペット先端部の軸線方向排出に適合するようにこの関係を壊す前進位置との間で、軸線方向に移動可能なスリーブと、
前記スリーブを前記後退位置に付勢する第１軸線方向力を働かせる第１ばね手段と、
前記スリーブを前記後退位置から前記前進位置まで移動させる前記第１軸線方向力を打ち負かす手動操作可能な機構と、
後退位置と前進位置との間で前記スリーブを軸線方向に移動可能なカラーと、
前記カラーを自身の前進位置内へと付勢する第２軸線方向力を働かせる第２ばね手段と、を備え、
前記カラーは前記装着シャフトの遠位端を前記錠止チャンバ内に挿入する間中に前記ピペット先端部の上部部分によって係合可能であり、かつ前記ピペット先端部と前記装着シャフトとの間に軸線方向に相互係合する関係を確立する間中に、自身の前進位置から自身の後退位置まで前記第２軸線方向力に対して移動され、
前記カラーの自身の前進位置から自身の後退位置までの移動が前記第２力を高レベルまで増加させることに付随して、前記相互係合された関係の破壊に基づいて、前記高レベルでの前記第２力が作動して、前記カラーを自身の前進位置に戻すことによって前記装着シャフトを強制的に排出するエアディスプレースメントピペット。
【発明の詳細な説明】
【技術分野】
【０００１】
[関連出願への相互参照]
本願は２００４年２月１１日に出願された米国仮出願第６０／５４３，７４２号からの優先権を主張する。
【０００２】
本発明は、一般的に、エアディスプレースメントピペットに関し、特に、ピペット先端部の改善及び、これらがピペットの管状装着シャフトに解放可能に保持され且つ該シャフトから排出される態様に関する。
【背景技術】
【０００３】
エアディスプレースメントピペットの装着シャフトにピペット先端部を着脱自在に保持することが知られている。ピペットは、一旦、ピペットがその目的のために働いた場合にこうして保持したピペット先端部を係合解除且つ解放する手動操作機構を装備している。ピペット先端部と装着シャフトとの協働面の間の摩擦嵌めを行うことによって、通常、保持がなされる。
【０００４】
確実な摩擦嵌めを達成するために要する力のレベルに関して使用者が屡不確かであるという点でこれは或る困難性に通じる。不適切な力はピペット先端部を永久に取り除くことになることに帰着し得る一方で、過度の力はピペット先端部が所定位置で詰まり、これはピペット先端部をその保持位置から取り除くときに、今度は、手動で操作可能な排出機構によって行われなければならない力を不利にも増加させることに帰着し得る。これらの問題は多重チャネルピペットでは悪化する。
【０００５】
ピペットの管状装着シャフト上の噛合面とスナップ係合するように協働するように構成された内向きに突出する円形リブ又は隆起部を具備するピペット先端部の上端部を画定する円筒状壁を設けることも知られている。
【０００６】
しかしながら、これはスナップ係合を達成するために、ピペット先端部の上部壁が半径方向に膨張しなければならないという点で或る困難性にも通じる。これは、今度は、管状装着シャフトをピペット先端部内に挿入するときに受け入れ難い大きな力を使用者が働かせることを要する。装着シャフトから先端部を取り除くにはかなりの力を要する。さらにまた、例えば、これらの内部壁寸法があまりにも小さい場合、あるいはこれらの内部壁直径があまりにも大きい場合に、ピペット先端部を係合且つ解放するのに要する力を更に増大させることによって、僅かな寸法上の変動も重大な衝撃を有し得る。
【発明の開示】
【課題を解決するための手段】
【０００７】
本発明の１態様によれば、管状ピペット先端部は錠止チャンバを包囲する上部部分を具備する。エアディスプレースメントピペットの管状装着シャフトは上部部分と軸線方向に相互係合する関係に挿入するように形状構成され且つ寸法づけられた遠位端を具備する。ばね負荷排出スリーブは、上述の軸線方向に相互係合した関係の確立に適合する後退位置と、ピペット装着シャフトからピペットの軸線方向排出に適合するようにこの関係を壊す前進位置との間で、手動で移動可能である。
【０００８】
本発明の別の態様によれば、排出スリーブ上のばね負荷カラーは、軸線方向の相互係合が壊れたときに装着シャフトからピペット先端部を強制的に排出する働きをする。ばね負荷カラーは装着シャフトとの自身の軸線方向の相互係合関係を確立するように十分に挿入されていないピペット先端部を排出する働きもする。
【発明が解決しようとする課題】
【０００９】
本発明のまた別の態様によれば、管状ピペット先端部は自身の上部部分から直径が減じられた端部まで下向きにテーパが付けられた本体部分を具備する。ピペット先端部には、装着シャフトの遠位端の相補面と協働してスナップ係合するように錠止チャンバ内に内向きに突出する、少なくとも１つ且つ好ましくは一体的に円周方向に所定の間隔を置いて配置された複数の弾発性フィンガが設けられる。
【００１０】
本発明のこれら及び他の態様、特徴及び利点を添付図面を参照して詳細に説明する。
【発明を実施するための最良の形態】
【００１１】
図１−図３を最初に参照すると、本発明の概念を組み込んだ手動操作可能な空気排出ピペットは全体的に１０で描かれる。ピペットは、自身の上部端で手動操作可能な押しボタン１４を具備するハウジング１２を含む。押しボタンは、内部構成要素（図示せず）を介してハウジングの下部端から突出するピストン１６に連結される。ピストン１６は、呼吸し且つ分配するシリンダー２２の拡大した直径のヘッド２０に含まれる密封組立体１８を貫通して延在する。シリンダーはハウジングの下端部内にねじ込まれ、かつ、使い捨て可能なピペット先端部２６を着脱自在に保持するように形状構成され且つ使い捨て可能なピペット先端部２６を着脱自在に保持すように一体の管状装着シャフト２４と連通する。
【００１２】
図３に最もよく見え得る最も見ることができるように、装着シャフト２４は参照符号２８でシリンダー円筒状端部にねじ込まれる。取付シャフト２４の遠心端は面取りされ、面取りされた先端エッジ３４を随意を具備して外部に形状構成される。中間面３６は肩部３２から弾発的なOリングシール３８を含む円状溝３７まで内向きにテーパが付けられる。円筒状部分４０は溝３７から端面４２まで延在する。
【００１３】
スリーブ４４は、面取りされたか又は半径方向の先端部エッジ５８を具備する拡大直径端５６が形成された円筒状圧入インサート５４を含む。カラー６０はスリーブインサート５４によって包囲され、かつスリーブインサート５４で軸線方向に移動可能である。
【００１４】
スリーブ４４は、面取りされたか又は半径方向の先端部エッジ５８を具備する拡大直径端５６が形成された円筒状圧入インサート５４を含む。カラー６０はスリーブインサート５４によって包囲され、かつスリーブインサート５４で軸線方向に移動可能である。
【００１５】
スリーブ４４の下部内側はインサート５４の外部から半径方向に所定の間隔で離隔配置されて第２コイル巻き圧縮ばね６２を含む環状空間を画定する。ばね６２はスリーブ４４の内部肩部６４とカラー６０との間で軸線方向に制限される。ばね６２はスリーブインサート５４の拡大直径端５６に対して弾発的に付勢する働きをする。
【００１６】
図４〜図７から良く分かるように、ピペット先端部２６は、錠止チャンバ６８を包囲する上部壁部分６７と、密封部材７０を包囲する下部壁部分６９を具備する管状形状構成を具備する。本体部分７２は上部６６から直径が減じられた開放端７４まで下向きに延在する。部分６６の上壁部分６７には、少なくとも１つ、好ましくは、複数の週方向に所定の間隔を置いて配置されたフィンガ７６が形成される。好ましくは、図示するように、一対の弾発性フィンガ７６が反対側に廃棄された関係で設けられる。フィンガ７６は上部面取りリム７８から錠止チャンバ６８内に片持ち梁態様で境界を付け且つ内向きに突出する。
下部壁部分６９には円筒状部分９２に内向きにテーパが付けられた入口部分８０が内側に設けられる。円筒状レッジ８１の形態をしたストッパ免は錠止チャンバ６８と密封チャンバ７０との間に位置する。図５及び図７から最も良く分かるように、下部壁部分はレッジ８０から本体部分７２まで延在する外周に所定の間隔を置いて配置されたリブ８６によって補強される。外部鉛直リブ８６の下端部８４は本体部分７２から上向きクラウン部分６６と境界を定める平面上にある。
【００１７】
ここで、最初に図８を参照して先端装着手順を説明する。ピペット先端部２６は支持プレート８８等の開口のリブ８６の下端部８４上に支持されて図示される。ピペット１０は最初に先端部２６と整合され、次いで、下降され、装着シャフト２４の円筒状端部４０をして錠止チャンバ６８を軸線方向に通過して密封チャンバ７０内に入る。自身の先端エッジ３４によって支援される肩部３２は弾発性フィンガ７６と最初に接触し、これらを外向きにそらせ始める。
【００１８】
図９は装着手順の中間段階を示す。この段階では、装着シャフト２４の軸線方向挿入は弾発性フィンガ７６が完全に拡張し、Ｏ−リングシール３８がまさに密封チャンバ７０の円筒状部分８２と密封係合するように入れられ、及び、カラー６０がピペット先端部の上部リム７８に遭遇し、かつばね６２の圧縮力に対して軸線方向且つスリーブインサート５４の拡大直径端部５６から離れるように移動し始める。
【００１９】
図１０は装着手順の最終段階を示す。矢印９０によって示されるように。弾発性フィンガ７６はここでは内向き背後にスナップ嵌合して装着シャフト２４の肩部３２と錠止係合する。ばね６２は圧縮され、かつ肩部６４とカラー６０との間で昇降された水準に装填される。液密シールがＯリング３８と密封チャンバ７０の円筒状部分８２との間に確立され、肩部３２は円形リッジ８１に対して底に当っている。リッジ８１は、かくして、スナップ嵌合して相互錠止係合するフィンガ７６の可聴音と組み合わさって、確実なストッパを確立し、ピペット先端部が確かに装着されたことの信頼し得る表示を使用者に与える。
相互錠止されたフィンガの内向き傾斜の角度のために、装着シャフト２４からピペット先端部を引き抜く試みはフィンガを内向きに更にそらせ、かくして、ピペット先端部と円筒状延長部との間の相互錠止された関係を向上させる。
【００２０】
図１及び図２を参照すれば、ピペット１０はハウジング１２に含まれる（図示しない）機械式リンクを介してばね保持器５０に対して支持するリンク９４に連結される排出ボタン９２を更に含む。先端部排出は矢印９６の方向に手動でボタン９２を押すことによって実行され、対応する軸線方向のリンク９４の移動に帰着し、スリーブ４４をしてばね４６及び６２の圧縮力に対してシリンダ２４上の同じ方向で軸線方向に移動させる。
【００２１】
図１１はスリーブ４４及びそのインサート５４が矢印９６の方向に移動するときに、弾発性フィンガ７６がインサート５４の拡大直径端部５６によって外向きに偏倚される。フィンガが肩部３２を越えて外向きにそるとき、ピペット先端部２６と装着シャフト２４との間の軸線方向に相互係合した関係は破壊し、昇降水準まで装填された、ばね６２を、装着シャフトの端部から先端部２６を強制的に排出するべくカラー６０によって作用可能にする。ばね装填されたカラーは、例えば、図９に示す範囲までのみ挿入され、完全には挿入されていない、ピペットを強制的に排出する働きをする。
【００２２】
先端部排出を行うためには、使用者がばね４６及び６２の抵抗に打ち勝つのに必要な力で押しボタン９２のみを要する。適切なばね選択はこの力が大きくなく、かつ人間工学的に好ましいことを保証する。
【００２３】
上述の観点から、当業者は、本発明の先端部装着方法及び排出組立体が本願明細書に開示されたタイプの手動操作可能なピペットでの使用に限定されないことが分かり、しかも、本発明の概念は広範囲の機械式及び／又は自動駆動ピペトタイプ及び構成に適用可能であることが分かる。
【００２４】
種々のピペット先端部構成は上述した装着及び排出組立体を採用し得ることも理解すべきである。例えば、図１２Ａ及び図１２Ｂの参照符号２６で示す先端部の実施形態では、
先端部の上部部分６６ａは錠止チャンバ６８ａを包囲するが、本体部分７２ａの上端部から独立して構成され、該上端部内にインサートとして組立てられる。弾発性フィンガ７６ａは錠止チャンバの底部の円形ベースから上向きに片持ち梁の形態で突出する。内部シェルフ９８は錠止チャンバ６８ａ内に上向きに突出する隆起したビード１０２によって貫通穴１００が形成される。この実施形態によれば、装着シャフト２４の端面４２は隆起したビード１０２と協働して密封係合し、Ｏ−リングを採用することを不必要にする。
【００２５】
図１３Ａ及び図１３Ｂに示す別のピペット先端部の実施形態では、上部部分６６ｂは、錠止チャンバ６８ｂ及び下部密封チャンバ７０ｂを含み、かつ再び分離され、かつ本体部分７２ｂの上端部内へのインサートのように組み立てられる。弾発性フィンガ７６ｂは頂部リムから錠止チャンバ６８ｂ内に片もち梁形態で下向き且つ内向きに突出する。
【００２６】
図１４Ａ及び図１４Ｂでは、ピペット先端部２６ｃは図１３Ａ及び図１３Ｂに示すものに類似する。ここでは、内部シェルフ９８ｃが装着シャフト２４の端面密封係合するように協働するように薄く開口が形成された薄膜として形成される。
【００２７】
図１５Ａ及び図１５Ｂでは、ピペット先端部２６ｄは図４〜図７に描いたものに類似する。ここでは、シーリングチャンバ７０ｃは管状シャフト延長部２４上のＯ−リングと密封係合するように協働するように位置づけられた角度が付けられたレッジ１０４によって境界づけられる。
【００２８】
図１６に示すように、Ｏリング３８は、先端部の装着シャフトから引き続いて排出することに対する摩擦抵抗を不利に増加させることなく、角度が付けられたレッジ１０４と共に”面シーリング”関係で協働する。
【００２９】
上述の観点から、ピペットの装着シャフト２４及びピペット先端部の実施形態２６ａ−２６ｄの幾つかの各々はそれぞれ軸線方向に相互係合する関係と、前者上の肩部位３２等と後者のクラウン部分上のスナップ嵌合フィンガとの間のスナップ連結を行うように形状構成され且つ寸法づけされる。ピペット先端部上の確実なストッパはスナップ連結を達成するのに要する装着シャフト挿入の範囲を限定する。そしてこれは、スナップ連結の可聴性質と共に、適切な挿入力が働き、しかもピペット先端部が装着シャフト上に信頼し得るように且つ確かに保持されたことを供する。
【００３０】
先端部排出はボタン９２に働き、かつ装着シャフト２４でこれらの相互係合した関係を破壊するには十分な弾発性フィンガ７６を拡げるべくスリーブインサート５４に伝えられる大きくない力のみを要する。ピペット先端部は、この時、ばね加重が掛けられたカラー６０によって強制的な排出に対して解放される。
【図面の簡単な説明】
【００３１】
【図１】本発明の概念を組み込んだ手動操作可能なエアディスプレースメントピペットの側面図である。
【図２】ピペット先端部がそこから分離した状態の図１に例示したピペットの組立体の先端部装着及び排出組立体に亘る拡大垂直断面図である。
【図３】図１及び図２に示すチップ装着及び排出組立体の端部部分の更なる拡大垂直断面図である。
【図４】図１及び図２に示すピペット先端部の側面図である。
【図５】図４の線５−５で切断したピペット先端部の垂直断面図である。
【図６】ピペット先端部の平面図である。
【図７】ピペット先端部のクラウン部分の斜視図である。
【図８】先端部装着及び排出手続における連続段階を示す図３に類似した図である。
【図９】先端部装着及び排出手続における連続段階を示す図３に類似した図である。
【図１０】先端部装着及び排出手続における連続段階を示す図３に類似した図である。
【図１１】先端部装着及び排出手続における連続段階を示す図３に類似した図である。
【図１２Ａ】別のピペット先端部実施形態の側面図である。
【図１２Ｂ】図１２Ａ、図１３Ａ、図１４Ａ及び図１５Ａに示すピペット先端部実施形態のそれぞれの垂直断面図である。
【図１３Ａ】別のピペット先端部実施形態の側面図である。
【図１３Ｂ】図１２Ａ、図１３Ａ、図１４Ａ及び図１５Ａに示すピペット先端部実施形態のそれぞれの垂直断面図である。
【図１４Ａ】別のピペット先端部実施形態の側面図である。
【図１４Ｂ】図１２Ａ、図１３Ａ、図１４Ａ及び図１５Ａに示すピペット先端部実施形態のそれぞれの垂直断面図である。
【図１５Ａ】別のピペット先端部実施形態の側面図である。
【図１５Ｂ】図１２Ａ、図１３Ａ、図１４Ａ及び図１５Ａに示すピペット先端部実施形態のそれぞれの垂直断面図である
【図１６】ピペットの装着シャフトと軸線方向に相互係合する図１５Ａ及び図１５Ｂのピペット先端部の部分的断面図である。
【符号の説明】
【００３２】
１０  空気排出ピペット
１２  ハウジング
１４  押しボタン
１６  ピストン
１８  密封組立体
２０  ヘッド
２２  シリンダ
２４  装着シャフト
２６  ピペット先端部
２６ａ  ピペット先端部
２６ｂ  ピペット先端部
２６ｃ  ピペット先端部
２６ｄ  ピペット先端部
３２  肩部
３４  先端エッジ
３６  中間面
３７  円形溝
３８  Ｏリング
４０  円筒状部分
４２  端面
４４  スリーブ
５０  ばね保持器
５４  スリーブインサート
５６  拡大直径端部
５８  先端部エッジ
６０  カラー
６２  ばね
６４  内部肩部
６６  上部
６６ａ  上部部分
６６ｂ  上部部分
６７  上壁部分
６８  錠止チャンバ
６８ａ  錠止チャンバ
６８ｂ  錠止チャンバ
６８ｃ  錠止チャンバ
６９  下部壁部分
７０  密封部材
７０ｃ  密封チャンバ
７２  本体部分
７２ａ  本体部分
７２ｂ  本体部分
７２ｃ  本体部分
７４  開放端
７６  弾発性フィンガ
７６ａ  弾発性フィンガ
７６ｂ  弾発性フィンガ
７６ｃ  弾発性フィンガ
７８  上部リム
８０  入口部分
８１  円形レッジ
８２  円筒状部分
８４  下端部
８６  リブ
８８  支持プレート
９２  押しボタン
９４  リンク
９８  内部シェルフ
９８ｂ  内部シェルフ
９８ｃ  内部シェルフ
１００  貫通穴
１０２  ビード
１０４  レッジ
【図１】
2007521956.tif 000003
【図２】
2007521956.tif 000004
【図３】
2007521956.tif 000005
【図４】
2007521956.tif 000006
【図５】
2007521956.tif 000007
【図６】
2007521956.tif 000008
【図７】
2007521956.tif 000009
【図８】
2007521956.tif 000010
【図９】
2007521956.tif 000011
【図１０】
2007521956.tif 000012
【図１１】
2007521956.tif 000013
【図１２Ａ】
2007521956.tif 000014
【図１２Ｂ】
2007521956.tif 000015
【図１３Ａ】
2007521956.tif 000016
【図１３Ｂ】
2007521956.tif 000017
【図１４Ａ】
2007521956.tif 000018
【図１４Ｂ】
2007521956.tif 000019
【図１５Ａ】
2007521956.tif 000020
【図１５Ｂ】
2007521956.tif 000021
【図１６】
2007521956.tif 000022
【国際調査報告】
2007521956.tif 000023
2007521956.tif 000024
2007521956.tif 000025